(57)【要約】      （修正有）【課題】２０１３年に世界文化遺産に登録された富士山の玩具の置物の中にマトリョーシカ人形的構造で標高の高い順から低い順へ複数の山体を収納し、表層カバーには透明上蓋をかぶせることにより山体、山容を眺めて楽しめる玩具の置物の構造を提供する。【解決手段】胴体の部分で上下に分割出来て、空洞の中には少しずつ小さくしてなるマトリョーシカ人形の入れ子のように先ずは富士山の山体を頂点とした標高順に複数の山の山体を入れ子として収納する円筒形の台座箱５を設け、台座箱の先端には富士山の山体を受ける台座肩と、さらにその外側にドーム型の透明上蓋１をかぶせるための台座肩４を設けたことを特徴とする。【選択図】図３
0003188505.tif 000002
【実用新案登録請求の範囲】
【請求項１】
本考案は胴体の部分で上下に分割でき、空洞の中には少しづつ小さくしてなるマトリョーシカ人形の入れ子のように富士山の山体を頂点とした高さの複数の山の山体を入れ子として収納する円筒形の台座箱（５）を設け、台座箱の先端には富士山の山体を受ける台座肩（３）とさらにその外側にドーム型の透明上蓋（１）をかぶせるための台座肩（４）を設けたことを特徴とする複数の山体を収納する玩具の置物の構造。
【請求項２】
透明上蓋（１）の素材は透明素材である透明アクリル、透明塩ビ、透明プラステイックのいずれかを材料として使用、さらに台座箱の素材においても透明アクリル、透明塩ビ、透明プラステイックのいずれか及び半透明素材の塩ビ、プラステック、アクリル、あるいは不透明の木製、紙製、さらに上記素材に着色を施した部材を購入者を対象に選択使用すること及び、陶器製などマーケットに応じた素材での製作を特徴とする複数の山体を同時に収納する玩具の置物の構造。
【請求項３】
台座箱の形状は本考案のデザイン上の好みに応じて円筒形および四角形、六角形での構造も特徴とする複数の山体を同時に収納する玩具の置物の構造。
【請求項４】
本考案のマトリョーシカ形状の中に収納する山の山体は世界の標高順位であるエベレスト、Ｋ２、カンチェンジュンガ、ローツエ、マカルーの収納も特徴とする複数の山体を同時に収納する玩具の置物の構造。
【考案の詳細な説明】
【技術分野】
【０００１】  本考案は２０１３年に世界文化遺産に登録された富士山の玩具の置物の中にマトリョーシカ人形的構造で標高の高い順から低い順へ複数の山体を収納し、表層カバーには透明上蓋をかぶせることにより山体、山容を眺めて楽しめる玩具の置物の構造に係る。
【背景技術】
【０００２】  従来マトリョーシカ人形の構造は中に少し小さくした５重、６重の紙製や木製の不透明樹脂の人形の入れ子の構造であり、胴体の部分で上下に分割出来る製品である。
しかしながら本考案は標高の高い山から低い山で山容も山体も名称もそれぞれ異なった山をその上部から下部へ連続して内蔵してなるが、富士山の山体及び山容を見ることが出来る透明アクリル、透明ＰＥＴ、あるいは透明プラステイック樹脂を採用した構造である。【０００３】  透明上蓋（１）は台座（５）の最外側の台座肩（４）に配置して開閉するものであり、さらに台座（５）の内側には台座肩（３）を備えて二重肩とする。このように同一の台座箱に二つの台座肩を持つマトリョーシカの構造はこれまでに無かった。【０００４】つまり、従前のマトリョーシカ人形の上蓋と台座とが簡単な指のひねりで開閉出来るように本考案の透明上蓋（１）は台座肩（４）、及び富士山の山体（２）と台座肩（３）の取り外しができる。以下、それぞれの山体蓋と台座箱の取り外しも同様である。【０００５】  本考案のマトリョーシカ人形の構造で説明すると、日本の山の標高順位は２０１３年に世界文化遺産に登録された富士山であり２位は北岳、３位に奥穂高岳、４位に間の岳、５位に槍ヶ岳であるからそれらの高低の順番で収納される。【０００６】  以上のように、本考案によれば透明素材の透明上蓋（１）の中には直接富士山が見え、その中に４つの山体が存在することとなるため、５重の入れ子を持つマトリョーシカ人形の構造の山体を収納する玩具の置物となる。【０００７】  上記の透明上蓋以外の山体の材質においては木製、プラステイック樹脂製あるいは紙製での製造においても、且つ絵具やスプレーでの着色や装飾も可能である。
【考案の概要】
【考案が解決しようとする課題】
【０００８】  本考案のそれぞれの山体は立体的であり、標高順に収納したものであるから順番に開いて取り出してそれぞれの山ごとに本物に近い山容を知ることが出来る。山体を取り出して高低順に並べ陳列して眺めれば複数の山の特徴を同時に見比べることが出来るため、写真や絵本による平面の山々に比べ本考案の山体で立体の山体を眺めることにより実物の山体形状を学習出来る魅力的な玩具の置物となる。【０００９】  また、山の名称は日本語だけでなく英語、フランス語など世界の言語で記載出来るものとし、標高表示においてもセンチメートル、ヤード、フィートの使用可能であるため世界の国の人々に便利なで喜ばれるお土産用や教材用としての用途もある。
【課題を解決するための手段】
【００１０】  山体の材質においては木製、プラステイック樹脂性、紙製のいずれかで創り、且つそれぞれの山体の内側空洞へ複数の山体を大きいものから小さい山体へ収納する。
【考案の効果】
【００１１】  富士山の立体図形及び高低順に他の山も立体的構図で製造されるため、大人から子供に至るまで山の山体と山容および高低とがわかり、教材としても海外からの観光客への土産としても本考案製品は購買意欲を喚起、日本の魅力を高めるため製造、販売者にとっても大きな経済効果に資することの出来る。【００１２】  図３における台座箱５の外側周囲表面をこのような文字だけでなくそれぞれの山々ごとに特徴的な高山植物の花の絵や野鳥の印刷を施して告看板として使用すればばさらに購買意欲の高まりを期待できる（図３）。
【考案を実施するための形態】
【００１３】  以下、本考案のマトリョーシカ人形的構造で収納する玩具の置物の構造をその実施の最良の形態について図面に示す実施例に基ずいて具体的に説明する。
【００１４】  図１は本考案の実施例を示すものであり、台座箱５に施した台座肩４には透明上蓋１を配置し、台座肩３には富士山の山体蓋２を配置する。次に台座箱５の内側には台座箱６及び北岳の山体蓋１０を配置する。以下山体の標高の高い順から低い順に北岳の山体箱及び台座箱６を、奥穂高岳、間ノ岳、槍ケ岳の順で収納して一体のマトリョーシカ人形的構造の玩具の置物となる（図１）。
【００１５】  図３における北岳１４の文字、及び数字は本考案の台座箱の中に収納されている山体名、標高を印刷した本考案の実施例である。（図３）。
【図面の簡単な説明】
【００１６】
【図１】本考案の上蓋のカバーはに透明性の素材、台座部は不透明素材でなる容器内にマトリョーシカの形状でなる富士山の山体から低い順へ５峯の山体を内蔵した実施例を示した断面図である。
【図２】本考案の透明性上蓋カバーを設置し、その内部に富士山の山体を内蔵したマトリョーシカの形状でなる実施例及び台座を示した平面図である。
【図３】本考案の富士山の山体が見え、且つ台座には内蔵された各山体名と標高標記。
【符号の説明】
【００１７】１・・・・・・・・・・透明上蓋
２・・・・・・・・・・富士山の山体蓋
３・・・・・・・・・・富士山の山体を受ける台座肩
４・・・・・・・・・・透明上蓋を受ける台座肩
５・・・・・・・・・・透明上蓋及び富士山の山体蓋を受ける台座箱
６・・・・・・・・・・北岳の山体蓋を受ける台座箱
７・・・・・・・・・・奥穂高岳の山体蓋を受ける台座箱
８・・・・・・・・・・間ノ岳の山体蓋を受ける台座箱
９・・・・・・・・・・槍ケ岳の山体蓋を受ける台座箱
１０・・・・・・・・北岳の山体蓋
１１・・・・・・・・奥穂高岳の山体蓋
１２・・・・・・・・間ノ岳の山体蓋
１３・・・・・・・・槍ケ岳の山体蓋
１４・・・・・・・・山体名
【図１】
0003188505.tif 000003
【図２】
0003188505.tif 000004
【図３】
0003188505.tif 000005
【手続補正書】
【提出日】平成25年10月28日(2013.10.28)
【手続補正１】
【補正対象書類名】実用新案登録請求の範囲
【補正対象項目名】全文
【補正方法】変更
【補正の内容】
【実用新案登録請求の範囲】
【請求項１】
本考案は胴体の部分で上下に分割出来て、空洞の中には少しずつ小さくしてなるマトリョーシカ人形の入れ子のように先ずは富士山の山体を頂点とした標高順に複数の山の山体を入れ子として収納する円筒形の台座箱（５）を設け、台座箱の先端には富士山の山体を受ける台座肩（３）と、さらにその外側にドーム型の透明上蓋（１）をかぶせるための台座肩（４）を設けたことを特徴とする複数の山体を収納する玩具の置物の構造。
【請求項２】
透明上蓋（１）に使用する素材に関しては、外部から富士山の山体が見えるように透明性のあるアクリル、塩ビ、プラステイックのいずれかであり、台座箱（５）の素材は木、紙、アクリル、プラステイック、塩ビ、透明アクリル、透明塩ビ、透明プラステイックのいずれかであることを特徴とする請求項１記載の玩具の置物の構造。
【請求項３】
台座箱の形状に於いては、本考案を机上に置いて眺める場合の安定感やお酒落感の他、土産物としてのデザイン上の選択肢を得られるために円筒形、四角形、又は六角形の構造でなることを特徴とする請求項１記載の玩具の置物の構造。
【請求項４】
本考案のマトリョーシカ形状の中に入れ子として収納する山々の山体は世界の標高順であるエベレスト、Ｋ２，カンチェンジュンガ、ローツエ、マカールの収納も特徴とする請求項１または請求項２記載の玩具の置物の構造。